(57)【要約】【課題】洗濯物を浴室などにおける吊り干し乾燥に使用される衣類乾燥機において、除湿運転と換気運転とを同時に実施した場合であっても、最も速く乾燥するように除湿と換気を組み合わせた衣類乾燥機を提供することを目的としている。【解決手段】室内空気を循環させる循環風路７に凝縮器２と蒸発器４と送風ファン９とを備え、排気ファン１２の第一吸込口１６を循環風路７における蒸発器４と凝縮器２との間に位置したことにより、過大なエネルギーを使用することなく乾燥時間を短くできる衣類乾燥機が得られる。【選択図】図１
2010094206.tif 000002
【特許請求の範囲】
【請求項１】
室内から空気を吸込む室内吸込口と室内へ空気を供給する室内吹出口とを有する筐体と、この筐体内には前記室内吸込口と前記室内吹出口とを連通する循環風路と、前記循環風路を通過する空気を冷却することにより水蒸気を除去する冷却除湿手段と、前記循環風路を通過する空気を加熱する加熱手段と、前記循環風路を通過する空気を屋外へ排出する排気手段とを備え、前記冷却除湿手段と前記加熱手段との間に前記排気手段の第一吸込口を備えたことを特徴とする衣類乾燥機。
【請求項２】
空気を供給する給気手段を備え、前記給気手段の吐出口を循環風路内における冷却除湿手段と加熱手段との間に備えたことを特徴とする請求項１記載の衣類乾燥機。
【請求項３】
給気手段の吐出口を排気手段の第一吸込口と加熱手段との間に備えたことを特徴とする請求項２記載の衣類乾燥機。
【請求項４】
給気手段での給気量と排気手段での排気量とを略一致させることを特徴とする請求２または３記載の衣類乾燥機。
【請求項５】
給気手段で供給する空気を室内から導入することを特徴とする請求項２〜４のいずれかに記載の衣類乾燥機。
【請求項６】
給気手段で供給する空気を室外から導入することを特徴とする請求項２〜４のいずれかに記載の衣類乾燥機。
【請求項７】
給気手段で供給する空気を屋外から導入することを特徴とする請求項２〜４のいずれかに記載の衣類乾燥機。
【請求項８】
冷却直後の空気温度を検知する冷却温度検知手段と、室内へ供給する空気の温度を検知する給気温度検知手段を備え、冷却温度検知手段で検知した温度が給気温度検知手段で検知した温度より低い場合に、排気手段の運転を行う制御手段を備えたことを特徴とする請求項１〜７のいずれかに記載の衣類乾燥機。
【請求項９】
冷却直後の絶対湿度を検知する冷却絶対湿度検知手段と、室内へ供給する空気の絶対湿度を検知する給気絶対湿度検知手段を備え、冷却絶対湿度検知手段で検知した絶対湿度が給気絶対湿度検知手段で検知した絶対湿度より高い場合に、排気手段と給気手段との運転を行う制御手段を備えたことを特徴とする請求項１〜８のいずれかに記載の衣類乾燥機。
【請求項１０】
冷却直後の空気温度を検知する冷却温度検知手段と、室内へ供給する空気の露点温度を検知する給気露点温度検知手段を備え、冷却温度検知手段で検知した温度が給気露点温度検知手段で検知した温度より高い場合に、排気手段と排気手段との運転を行う制御手段を備えたことを特徴とする請求項１〜９のいずれかに記載の衣類乾燥機。
【請求項１１】
室内温度を検知する室内温度検知手段を備え、制御手段は前記室内温度検知手段の検知した温度が所定の値よりも低い場合には排気手段と給気手段との運転を行う制御手段を備えたことを特徴とする請求項１〜７のいずれかに記載の衣類乾燥機。
【請求項１２】
室内と冷却除湿手段との間に排気手段の第二吸込口を備え、前記第二吸込口には任意に開閉が可能な風路ダンパーを備えたことを特徴とする請求項８〜１１のいずれかに記載の衣類乾燥機。
【請求項１３】
排気手段の第一吸込口と第二吸込口とのどちらか一方が吸込み経路として開放されるように構成した請求項１２記載の衣類乾燥機。
【請求項１４】
室内温度を検知する室内温度検知手段を備え、制御手段は室内温度検知手段の検知した温度が所定の値よりも高い場合には、排気手段の運転を行う制御手段を備えたことを特徴とする請求項１２または１３に記載の衣類乾燥機。
【請求項１５】
制御手段は室内温度検知手段が検知した温度が高いほど換気量が大きくなるように排気手段を制御する請求項１４に記載の衣類乾燥機。
【請求項１６】
室内相対湿度を検知する室内相対湿度検知手段を備え、制御手段は室内相対湿度検知手段の検知した相対湿度が所定の値よりも低い場合には、除湿運転を停止させる制御手段を備えたことを特徴とする請求１５に記載の衣類乾燥機。
【請求項１７】
空気と冷媒で熱交換を行う熱交換器として凝縮器と蒸発器を備える冷凍サイクルを利用し、冷却除湿手段として前記蒸発器を、加熱手段として前記凝縮器を用いることを特徴とする請求項１〜１６のいずれかに記載の衣類乾燥機。
【発明の詳細な説明】
【技術分野】
【０００１】
本発明は、一般的な住宅において衣類を乾燥させる目的で使用される衣類乾燥機に関するものである。
【背景技術】
【０００２】
洗濯を行った後の衣類は屋外で干され、日光による天日乾燥が一般的であった。しかし近年共働き世帯や単身世帯が増加し、日中に雨が降っても取り込めないため、または夜に洗濯をするため、あるいは盗難を防いだりするために室内や浴室で衣類を乾燥させるケースが増えている。そこで、室内や特に浴室で衣類を吊った状態で乾燥させる場合、冷凍サイクルなどのヒートポンプ技術を利用し室内空気を冷却除湿するとともに加熱することにより短時間で衣類を乾燥させる方法がある。
【０００３】
従来の衣類乾燥機について、図８を参照しながら説明する（例えば、特許文献１参照）。図８は従来の衣類乾燥機を真上から見た状態を示す断面構成図である。
【０００４】
従来の衣類乾燥機は浴室において使用され、浴室１０１の天井部には室内空気の吸込口１０２、および室内空気の室内吹出口１０３が設置されているとともに、吸込口１０２から循環風路１０４を介し室内吹出口１０３へ連通されている。（そして循環風路１０４の途中には、浴室１０１の空気を除湿する除湿手段、および浴室内空気を屋外へ排気する排気手段が備えられている）。
【０００５】
循環風路１０４内には蒸発器１０５と，蒸発器１０５の風下に設けられた凝縮器１０６と、凝縮器１０６の風下に設けられた送風機１０７が備えられている。また、蒸発器１０５と凝縮器１０６と圧縮機１０８と膨張弁１０９は、冷媒が充填された配管により冷凍サイクルとして構成されており、圧縮機１０８を運転することにより循環風路１０４を通過する空気は蒸発器１０５で冷却除湿された後に凝縮器１０６で加熱されることにより除湿運転を行うこととなる。
【０００６】
また、送風機１０７の風下には屋外に連通する排気用風路１１１と、吹出し口１０３への風路とが切替え可能な風路ダンパー１１０が備えられ、圧縮機１０８を停止するとともに風路ダンパー１１０を排気風路１１１へ連通するように切替えることで、換気運転を行うこととなる。また、室内湿度センサー１１２が検知した室内湿度と、室外湿度センサー１１３が検知した屋外湿度とを制御手段１１４で比較し、室内湿度より屋外湿度が低い場合に換気運転を実施することにより効率的に衣類乾燥を行うものである。
【特許文献１】特開昭６３−３１６９９号公報
【発明の開示】
【発明が解決しようとする課題】
【０００７】
従来の衣類乾燥機では、除湿運転を開始する前に室内湿度が屋外湿度より高い場合においてのみ換気運転を実施するものである。しかし、除湿運転と換気運転とは同時に実施することが不可能な構成であり、両運転による衣類乾燥の複合効果を同時に得ることができなかった。従って、換気運転を実施した場合であっても衣類乾燥に要する時間を短縮することができないといった課題があり、短時間で衣類乾燥を行なうことが求められている。
【０００８】
本発明はこのような従来の課題を解決するものであり、除湿手段の循環風路において冷却直後の空気の一部を屋外へ排出する風路構成とすることにより、衣類が最も速く乾燥するように除湿と換気を組み合わせた衣類乾燥機を提供することを目的としている。
【課題を解決するための手段】
【０００９】
本発明は、上記目標を達成するために、室内から空気を吸込む室内吸込口と室内へ空気を供給する室内吹出口とを有する筐体と、この筐体内には前記室内吸込口と前記室内吹出口とを連通する循環風路と、前記循環風路を通過する空気を冷却することにより水蒸気を除去する冷却除湿手段と、前記循環風路を通過する空気を加熱する加熱手段と、前記循環風路を通過する空気を屋外へ排出する排気手段とを備え、前記冷却除湿手段と前記加熱手段との間に前記排気手段の第一吸込口を備えたことを特徴とする衣類乾燥機である。
【００１０】
この手段により、冷却除湿手段により冷却された低温の空気を屋外へ排出することとなり、室内の空気を除湿するとともに室内の空気の温度上昇を早めることができ、室内に干された衣類を速く乾燥させることが可能となる。したがって、除湿に対し換気を組み合わせるだけで、過大なエネルギーを使用することなく乾燥時間を短くできる衣類乾燥機が得られる。
【００１１】
また他の手段は、空気を供給する給気手段を備え、前記給気手段の吐出口を循環風路内における冷却除湿手段と加熱手段との間に備えた衣類乾燥機である。
【００１２】
この手段により、室内に対する加熱能力を高めることのできる衣類乾燥機が得られる。
【００１３】
また他の手段は、給気手段の吐出口を排気手段の第一吸込口と加熱手段との間に備えた衣類乾燥機である。
【００１４】
この手段により、さらに室内に対する加熱能力を高めることができる衣類乾燥機が得られる。
【００１５】
また他の手段は、給気手段での給気量と排気手段での排気量とを略一致させ衣類乾燥機である。
【００１６】
この手段により、浴室から屋外や隣室に空気の漏出入がなくなる衣類乾燥機が得られる。
【００１７】
また他の手段は、給気手段で供給する空気を室内から導入するとする。
【００１８】
この手段により、本体施工の良否に関わらず性能確保ができる衣類乾燥機が得られる。
【００１９】
また他の手段は、給気手段で供給する空気を室外から導入する衣類乾燥機である。
【００２０】
この手段により、さらに室内の加熱能力を高めることができる衣類乾燥機が得られる。
【００２１】
また他の手段は、給気手段で供給する空気を屋外から導入する衣類乾燥機である。
【００２２】
この手段により、室内の乾燥能力を高めることできる衣類乾燥機が得られる。
【００２３】
また他の手段は、冷却直後の空気温度を検知する冷却温度検知手段と、室内へ供給する空気の温度を検知する給気温度検知手段を備え、冷却温度検知手段で検知した温度が給気温度検知手段で検知した温度より低い場合に、排気手段の運転を行う制御手段を備えた衣類乾燥機である。
【００２４】
この手段により、室内空気の温度上昇に対して効果的に換気運転を制御できる衣類乾燥機が得られる。
【００２５】
また他の手段は、冷却直後の絶対湿度を検知する冷却絶対湿度検知手段と、室内へ供給する空気の絶対湿度を検知する給気絶対湿度検知手段を備え、冷却絶対湿度検知手段で検知した絶対湿度が給気絶対湿度検知手段で検知した絶対湿度より高い場合に、排気手段と給気手段との運転を行う制御手段を備えた衣類乾燥機である。
【００２６】
この手段により、室内空気の絶対湿度低下に対して効果的に換気運転を制御できるという衣類乾燥機が得られる。
【００２７】
また他の手段は、冷却直後の空気温度を検知する冷却温度検知手段と、室内へ供給する空気の露点温度を検知する給気露点温度検知手段を備え、冷却温度検知手段で検知した温度が給気露点温度検知手段で検知した温度より高い場合に、排気手段と排気手段との運転を行う制御手段を備えた衣類乾燥機である。
【００２８】
この手段により、コストの削減を図った衣類乾燥機が得られる。
【００２９】
また他の手段は、室内温度を検知する室内温度検知手段を備え、制御手段は前記室内温度検知手段の検知した温度が所定の値よりも低い場合には排気手段と給気手段との運転を行う制御手段を備衣類乾燥機である。
【００３０】
この手段により、室温をできる限り早く上昇させるべく、除湿と換気を組み合わせた制御を行う衣類乾燥機が得られる。
【００３１】
また他の手段は、室内と冷却除湿手段との間に排気手段の第二吸込口を備え、前記第二吸込口には任意に開閉が可能な風路ダンパーを備えた衣類乾燥機である。
【００３２】
この手段により、換気運転のみの場合の消費電力を小さくすることができる衣類乾燥機が得られる。
【００３３】
また他の手段は、排気手段の第一吸込口と第二吸込口とのどちらか一方が吸込み経路として開放されるように構成した衣類乾燥機である。
【００３４】
この手段により、浴室の温度上昇を抑えながら除湿運転ができる衣類乾燥機が得られる。
【００３５】
また他の手段は、室内温度を検知する室内温度検知手段を備え、制御手段は室内温度検知手段の検知した温度が所定の値よりも高い場合には、排気手段の運転を行う制御手段を備えた衣類乾燥機である。
【００３６】
この手段により、室温をできる限り早く上昇させるべく、除湿と換気を組み合わせた制御を行う衣類乾燥機を提供することができる衣類乾燥機が得られる。
【００３７】
また他の手段は、制御手段は室内温度検知手段が検知した温度が高いほど換気量が大きくなるように排気手段を制御する衣類乾燥機である。
【００３８】
この手段により、換気量を大きくすることにより室温上昇の抑制の効果を大きくして衣類を速く乾燥させることができる衣類乾燥機が得られる。
【００３９】
また他の手段は、室内相対湿度を検知する室内相対湿度検知手段を備え、制御手段は室内相対湿度検知手段の検知した相対湿度が所定の値よりも低い場合には、除湿運転を停止させる制御手段を備えた衣類乾燥機である。
【００４０】
この手段により、省エネルギー化を図ることができる衣類乾燥機が得られる。
【００４１】
また他の手段は、空気と冷媒で熱交換を行う熱交換器として凝縮器と蒸発器を備える冷凍サイクルを利用し、冷却除湿手段として前記蒸発器を、加熱手段として前記凝縮器を用いた衣類乾燥機である。
【００４２】
この手段により、室内温度が高まった場合の冷凍サイクルにおける冷媒の圧力上昇を防止することができる衣類乾燥機が得られる。
【発明の効果】
【００４３】
本発明によれば、冷却除湿手段により冷却された低温の空気を屋外へ排出することとなり、室内の空気を除湿するとともに室内の空気の温度上昇を早めることができ、室内に干された衣類を速く乾燥させることが可能となり、除湿に対し換気を組み合わせるだけで過大なエネルギーを使用することなく乾燥時間を短くできる衣類乾燥機が得られる。また、室内に対して加熱効率が高く省エネとなる、室内空気の変化に対して効果的に換気運転を制御できる、コストが削減できなどの効果も奏する。
【発明を実施するための最良の形態】
【００４４】
本発明の請求項１記載の発明は、室内から空気を吸込む室内吸込口と室内へ空気を供給する室内吹出口とを有する筐体と、この筐体内には室内吸込口と室内吹出口とを連通する循環風路と、循環風路を通過する空気を冷却することにより水蒸気を除去する冷却除湿手段と、循環風路を通過する空気を加熱する加熱手段と、循環風路を通過する空気を屋外へ排出する排気手段とを備え、冷却除湿手段と加熱手段との間に排気手段の第一吸込口を備えたものであり、冷却除湿手段により冷却された低温の空気を屋外へ排出することとなり、室内の空気を除湿するとともに室内の空気の温度上昇を早めることができ、室内に干された衣類を速く乾燥させることが可能となる。したがって、除湿に対し換気を組み合わせるだけで、過大なエネルギーを使用することなく乾燥時間を短くすることができる。
【００４５】
また、本発明の請求項２記載の発明は、空気を供給する給気手段を備え、給気手段の吐出口を循環風路内における冷却除湿手段と加熱手段との間に備えたものであり、室内へ直接給気を行う場合と比較して、循環経路内における加熱手段の上流側へ給気を供給する為、室内に対する加熱能力を高めることができる。
【００４６】
また、本発明の請求項３記載の発明は、給気手段の吐出口を排気手段の第一吸込口と加熱手段との間に備えたものであり、風下側に位置する給気手段から導入された給気空気が、風上側の排気手段の吸込み経路への短絡が防止できる為、さらに室内に対する加熱能力を高めることができる。
【００４７】
また、本発明の請求項４記載の発明は、給気手段での給気量と排気手段での排気量とを略一致させたものであり、室内の室内圧力が周囲と同等となる為浴室から屋外や隣室に空気の漏出入がなくなるという作用を有する。
【００４８】
また、本発明の請求項５記載の発明は、給気手段で供給する空気を室内から導入するものであり、空気を供給する風路を衣類乾燥機本体内に納めることができるので、本体施工の良否に関わらず性能確保が可能となる。
【００４９】
また、本発明の請求項６記載の発明は、給気手段で供給する空気を室外から導入するものであり、室内より低温である室外の空気を供給することにより加熱手段と通過空気の熱交換効率が高められ、室内の加熱能力を高めることができる。
【００５０】
また、本発明の請求項７記載の発明は、給気手段で供給する空気を屋外から導入するものであり、冬期など乾燥した空気を供給することにより室内の乾燥能力を高めることできる。
【００５１】
また、冷却直後の空気温度を検知する冷却温度検知手段と、室内へ供給する空気の温度を検知する給気温度検知手段を備え、冷却温度検知手段で検知した温度が給気温度検知手段で検知した温度より低い場合に、排気手段の運転を行う制御手段を備えたものであり、排出する空気の温度と導入する空気の温度とを比較し、室内空気の温度上昇に対して効果的に換気運転を制御できるという作用を有する。
【００５２】
また、本発明の請求項９記載の発明は、冷却直後の絶対湿度を検知する冷却絶対湿度検知手段と、室内へ供給する空気の絶対湿度を検知する給気絶対湿度検知手段を備え、冷却絶対湿度検知手段で検知した絶対湿度が給気絶対湿度検知手段で検知した絶対湿度より高い場合に、排気手段と給気手段との運転を行う制御手段を備えたものであり、排出する空気の絶対湿度と導入する空気の絶対湿度とを比較し、室内空気の絶対湿度低下に対して効果的に換気運転を制御できるという作用を有する。
【００５３】
また本発明の請求項１０記載の発明は、冷却直後の空気温度を検知する冷却温度検知手段と、室内へ供給する空気の露点温度を検知する給気露点温度検知手段を備え、冷却温度検知手段で検知した温度が給気露点温度検知手段で検知した温度より高い場合に、排気手段と排気手段との運転を行う制御手段を備えたものであり、冷却直後の相対湿度が１００％に近い現象を利用することにより湿度を検知する部品点数を少なくでき、コストの削減を図ることができる。
【００５４】
また本発明の請求項１１記載の発明は、室内温度を検知する室内温度検知手段を備え、制御手段は室内温度検知手段の検知した温度が所定の値よりも低い場合には排気手段の運転を行う制御手段を備えたものであり、室内が低温時には冷却除湿手段における除湿量が低下するため、室温をできる限り早く上昇させるべく、除湿と換気を組み合わせた制御を行う衣類乾燥機を提供することができる。
【００５５】
また本発明の請求項１２記載の発明は、室内と冷却除湿手段との間に排気手段の第二吸込口を備え、第二吸込口には任意に開閉が可能な風路ダンパーを備えたものであり、排気のみの運転の場合に排気経路の圧力損失を小さくすることとなり、換気運転のみの場合の消費電力を小さくすることができる。
【００５６】
また本発明の請求項１３記載の発明は、排気手段の第一吸込口と第二吸込口とのどちらか一方が吸込み経路として開放されるように構成したものであり、第二吸込口のみを介した排気が可能となり、浴室の温度上昇を抑えながら除湿運転ができる。
【００５７】
また本発明の請求項１４記載の発明は、室内温度を検知する室内温度検知手段を備え、制御手段は室内温度検知手段の検知した温度が所定の値よりも高い場合には、排気手段の運転を行う制御手段を備えたものであり、室内が高温時には冷却除湿手段における除湿量が低下するため、室温をできる限り早く上昇させるべく、除湿と換気を組み合わせた制御を行う衣類乾燥機を提供することができる。という作用を有する。
【００５８】
また本発明の請求項１５記載の発明は、制御手段は室内温度検知手段が検知した温度が高いほど換気量が大きくなるように排気手段を制御するものであり、室内の温度が高いほど室温上昇を抑制する必要性がいため、換気量を大きくすることにより室温上昇の抑制の効果を大きくして衣類を速く乾燥させることができる。
【００５９】
また本発明の請求項１６記載の発明は、室内相対湿度を検知する室内相対湿度検知手段を備え、制御手段は室内相対湿度検知手段の検知した相対湿度が所定の値よりも低い場合には、除湿運転を停止させる制御手段を備えたものであり、衣類乾燥に対して必要以上の除湿運転を抑制でき省エネルギー化を図ることができる。
【００６０】
また本発明の請求項１７記載の発明は、空気と冷媒で熱交換を行う熱交換器として凝縮器と蒸発器を備える冷凍サイクルを利用し、冷却除湿手段として蒸発器を、加熱手段として凝縮器を用いたものであり、室内温度が高まった場合の冷凍サイクルにおける冷媒の圧力上昇を防止することができる。
【００６１】
以下本発明の実施の形態について、図１〜図６を参照しながら説明する。
【００６２】
（実施の形態１）
実施の形態１の衣類乾燥機について、図１〜図２を参照しながら説明する。
【００６３】
衣類乾燥機は例えば浴室などの天井に設置され、室内には衣類を吊るすための竿が少なくとも１本あるものとする。衣類乾燥機は竿に吊るされた衣類を乾かすためのものである。衣類乾燥機が設置される室としては主に浴室を想定しているが、他にも脱衣室、サウナ室、衣類乾燥専用室、あるいは空き部屋等の居室や廊下としてもよい。いずれの室においても天井に衣類乾燥機が存在し、衣類乾燥機の下方に竿等が存在し、竿等に複数の衣類が吊るされている状況を想定している。
【００６４】
まずは衣類乾燥機の構成について図１を参照しながら説明する。図１は実施の形態１の衣類乾燥機を真横から見た状態を示す断面構成図である。
【００６５】
衣類乾燥機は、圧縮機１、加熱手段としての凝縮器２、膨張弁３、冷却除湿手段としての蒸発器４とからなる冷凍サイクルを備える。凝縮器２を通る空気は冷凍サイクルの冷媒との熱交換をおこなった結果加熱され、蒸発器４を通る空気は逆に冷却される。通常は蒸発器４を通過する空気が冷却されて露点温度を以下となり、蒸発器４において結露が生じ空気中に含まれる水分が除去される。除去された水分は水受け５に溜められ、ポンプ６（図示せず）によってドレン水として屋外に排出される。ポンプ６は衣類乾燥機が除湿運転をしている間断続的に動作してドレン水を排出するものとするが、水受け５に水位センサー等を設置して水がある程度溜まったらドレン水を排出するようにしてもよい。なお冷凍サイクルは圧縮機１、凝縮器２、膨張弁３、蒸発器４の順に冷媒が循環するように構成されているものとするが、冷媒管等の冷凍サイクルの図示は省略する。
【００６６】
また、衣類乾燥機は室内空気を循環させる循環風路７を備え、循環風路７を流れる空気の風上より、室内吸込口８、蒸発器４、凝縮器２、送風ファン９、室内吹出口１０の順番に配置されている。送風ファン９には送風ファン９を動作させるためのモーター１１が備えられている。送風ファン９はクロスフローファンまたはシロッコファンとし、素材としては耐熱性の樹脂または金属製とする。送風ファン９及びモーター１１の選定に当たっては、一例として風量が２００〜４００［ｍ3／ｈ］程度得られるようにする。
【００６７】
また、衣類乾燥機は排気手段手段としての排気ファン１２、排気ファン１２を動作させるためのモーター１３、空気を屋外に排出する排気口１４が備えられており、排気口１４には屋外へ連通する排気ダクト１５が接続されている。そして、排気ファン１２の第一吸込口１６は循環風路７における蒸発器４と凝縮器２との間に位置しており、蒸発器４で冷却された空気の一部を排気ファン１２によって屋外へ排気できるような構成となっており、室内の空気を除湿するとともに室内の空気の温度上昇を早めることができ、室内に干された衣類を速く乾燥させることが可能となる。したがって、除湿に対し換気としての排気を組み合わせるだけで、過大なエネルギーを使用することなく乾燥時間を短くすることができる。また、排気ファン１２は空気を吸込むときに圧力が必要な場合にも風量が確保できるようにシロッコファンとし、素材としては樹脂または金属製とする。モーター１３は回転数を変化させることで排気ファン１２の風量を変えられるように例えばＤＣブラシモーターとする。排気ファン１２及びモーター１３の選定に当たっては、一例として風量が０〜２００［ｍ3／ｈ］程度得られるようにする。
【００６８】
衣類乾燥機は制御手段としてのマイクロコンピューター１７（以下、マイコン１７と呼ぶ）が備えられ、隣室に設けられ使用者が操作を行うコントローラー１８から操作信号を伝達する為の信号線１９で連結されている。コントローラー１８には給気温度検知手段としての給気温度センサー２０と、給気露点温度検知手段としての給気露点温度センサー２１が備えられ、浴室室内の換気系路上の風上である隣室における空気温度を検知することができる。
【００６９】
隣室の空気温度を検知するにはまた、循環風路７内には循環風路７内を通過する空気の状態を検知するセンサー類が備えられており、蒸発器４で冷却除湿された直後の空気温度を検知する冷却温度検知手段としての冷却温度センサー２２と、室内温度を検知する室内温度センサー２３とを備える。冷却温度センサー２２と室内温度センサー２３は例えばサーミスタとし、給気露点温度センサー２１は例えば高分子膜センサーとする。室内温度センサー２３は循環風路７内における室内吸込口８と蒸発器４との間に設置され、冷却温度センサー２２は循環風路７内における蒸発器４の風下側に設置されている。冷却温度センサー２２や室内温度センサー２３給気露点温度センサー２１はマイコン１７に対して検知信号を伝達する為の信号線で連結されており、マイコン１７から圧縮機１やモーター１１やモーター１３を制御する為に信号線等で連結されているものとするが、信号線等の図示は一部省略する。マイコン１７は各種の情報を入力し、演算や判断を行い、衣類乾燥機の動作を指示する。マイコン１７はタイマー機能及び記憶機能を有し、必要に応じて時間を測定したり情報を記憶したりすることができるものとする。マイコン１７による判断の詳細なフローは後述する。
【００７０】
続いて、実施の形態１における衣類乾燥機の乾燥運転の動作を説明する。圧縮機１が作動すると冷凍サイクルの運転が開始され、蒸発器４が冷却されるとともに凝縮器２が加熱される。圧縮機１の作動とともに送風ファン９のモーター１１も作動を開始し循環風路７において室内吸込口８から室内空気が吸込まれ、蒸発器４と凝縮器２を介し室内吹出口１０から除湿乾燥された空気が室内へ吹出されることとなる。蒸発器４では循環風路７を通気する空気が冷却され、例えば温度が１０℃程度まで低下することとなる。住宅室内の温度を想定すると１５℃が一般的であり、蒸発器４で冷却された空気を排気ファン１２の第一吸込口１６から屋外へ排出することに伴って、屋外へ排出される空気より高い温度の空気が流入することとなり、浴室室内の空気を除湿するとともに室内の空気の温度上昇を早めることができ、室内に干された衣類を速く乾燥させることが可能となる。したがって、除湿に対し換気を組み合わせるだけで、過大なエネルギーを使用することなく乾燥時間を短くすることができる。
【００７１】
また、排気口１４には逆流防止用の風圧シャッター（図示せず）が備えられており、換気ファンが運転停止時に屋外からの空気の流入を防止できるものとする。
【００７２】
なお、実施の形態１では給気露点温度手段として給気露点温度センサー２１を用いたが、給気露点温度センサー２１にかえて室内相対湿度センサーを用い、室内温度センサー２３の検知温度と室内相対湿度センサーの検知湿度から、マイコン１７において露点温度を演算する構成であってもよく、その作用効果に差異を生じない。
【００７３】
なお、実施の形態１では冷凍サイクルとして圧縮機１と加熱手段としての凝縮器２と膨張弁３と冷却除湿手段としての蒸発器４を用いたが、衣類乾燥機以外の例えば温水ボイラーや冷水チラーから冷温水の供給を受ける為に冷水配管と温水配管が接続され、加熱手段としての温水コイル（図示せず）と冷却除湿手段としての冷水コイル（図示せず）を用いてもよく、その作用効果に差異を生じない。
【００７４】
次に、衣類乾燥機の動作フローの概要について図２を参照しながら説明する。図２は衣類乾燥機の動作を示すフロー図である。なお衣類乾燥機には衣類乾燥のための運転モード以外にも排気、送風等を行う運転モードを設定してもよいが、衣類乾燥以外の運転モードの動作については説明を省略する。
【００７５】
はじめに使用者がコントローラー１８を操作することにより衣類乾燥運転モードを開始すると、圧縮機１へ通電することにより衣類乾燥運転運転を開始する（Ｓ０１）。マイコン１７は運転開始の情報を受け取ると、冷却温度センサー２２を用い蒸発器４で冷却除湿された直後の冷却温度Ｔｃの検知と、給気温度センサー２０を用い給気温度Ｔｖの検知と、室内温度センサー２３を用い室内温度Ｔｉの検知と、給気露点温度センサー２１を用い給気露点温度ＤＰｖを検知する。（Ｓ０２）。
【００７６】
マイコン１７はＴｃとＴｖの大小を判断し（Ｓ０３）、ＴｃがＴｖよりも小さい場合はマイコン１７でＴｃとＤＰｖの大小を判断し（Ｓ０４）、ＴｃがＤＰｖよりも大きい場合はマイコン１７で排気ファン１２のモーター１３を運転する（Ｓ０５）。
【００７７】
またＳ０３において、ＴｃがＴｖ以上である場合はマイコン１７でＴｉと設定値ｔ１との大小を判断し（Ｓ０６）、Ｔｉがｔ１よりも大きい場合はマイコン１７で排気ファン１２のモーター１３を運転し（Ｓ０５）、Ｔｉがｔ１以下の場合はマイコン１７で排気ファン１２のモーター１３を停止する（Ｓ０７）。
【００７８】
またＳ０４において、ＴｃがＤＰｖ以下である場合はマイコン１７でＴｉと設定値ｔ２との大小を判断し（Ｓ０８）、Ｔｉがｔ２よりも小さい場合はマイコン１７で排気ファン１２のモーター１３を運転し（Ｓ０５）、Ｔｉがｔ２以上の場合はマイコン１７で排気ファン１２のモーター１３を停止する（Ｓ０７）。続いて、排気ファン運転（Ｓ０５）もしくは排気ファン停止（Ｓ０７、Ｓ０９）を実施したあと、運転終了の指示の有無を確認し（Ｓ１０）運転終了の指示がある場合は除湿運転停止（Ｓ１１）となる。また、運転終了の指示がない場合は、再び（Ｓ０２）から（Ｓ０９）の動作ステップを繰り返す。
【００７９】
以下、各フローの詳細な内容について説明する。
【００８０】
はじめに、衣類乾燥運転開始（Ｓ０１）について説明する。使用者は運転終了までの時間を指示するボタンを操作して運転終了までの時間を指定した後、運転を開始するボタンを操作して運転開始を指示する。マイコン１７は運転終了までの時間についての情報を受け取って記憶しておき、圧縮機１の運転と送風ファン９のモーター１１の運転を開始する。送風ファンによる循環風量は一例として２００〜４００［ｍ3／ｈ］である。
【００８１】
次に、各温度検知手段の温度検知（Ｓ０２）について説明する。冷却温度センサー２２を用い冷却温度Ｔｃの検知と、給気温度センサー２０を用い給気温度Ｔｖの検知と、室内温度センサー２３を用い室内温度Ｔｉの検知と、給気露点温度センサー２１を用い給気露点温度ＤＰｖを検知し、各検知情報Ｔｃ、Ｔｖ、Ｔｉ、ＤＰｖは新しい検知情報が入力されるまでマイコン１７で記憶される。なお、マイコン１７は圧縮機１が運転開始直後の場合は、冷凍サイクルが安定する例えば５分程度経過した時点で初めてＴｃ、Ｔｖ、Ｔｉ、ＤＰｖの温度検知を行う。
【００８２】
次に、冷却温度Ｔｃと給気温度Ｔｖの大小判断（Ｓ０３）について説明する。マイコン１７で記憶されている冷却温度Ｔｃと給気温度Ｔｖとの大小を比較し、排気ファン１２を運転させることにより屋外と浴室室内との間で生じる換気に伴う熱収支の正負を判断する。すなわち、排気される空気温度である冷却温度Ｔｃよりも給気される空気温度である給気温度Ｔｖが高温である場合は、排気ファン１２を運転させることで浴室室内を加熱する作用を生じる。一方、排気される空気温度である冷却温度Ｔｃよりも給気される空気温度である給気温度Ｔｖが低温である場合は、排気ファン１２を運転させることで浴室室内を冷却する作用を生じることとなる。
【００８３】
次に、冷却温度Ｔｃと給気温度Ｔｖの大小判断（Ｓ０４）について説明する。マイコン１７で記憶されている冷却温度Ｔｃと給気露点温度ＤＰｖとの大小を比較し、排気ファン１２を運転させることにより屋外と浴室室内との間で生じる換気に伴う水蒸気収支の正負を判断する。冷却温度Ｔｃで検知される空気は蒸発器４で冷却除湿された直後の空気であるので相対湿度は概ね１００％と判断できる。従って冷却温度Ｔｃは当該空気の露点温度と一致することとなる。排気される空気温度である冷却温度Ｔｃよりも給気される空気の露点温度である給気露点温度ＤＰｖが低温である場合は（Ｓ０３）の判断と併せ、排気ファン１２を運転させることにより浴室室内に与える作用としては加熱と除湿となる。すなわち、浴室室内に吊るされた洗濯物に対し乾燥を速める効果がある為、無条件で換気ファンを運転させることで、排気を行うことにより室内空気よりも乾燥した屋外空気を導入することとなり、室内の除湿を促進することができる。一方、排気される空気温度である冷却温度Ｔｃよりも給気される空気の露点温度である給気露点温度ＤＰｖが高温である場合は、排気ファン１２を運転させることで浴室室内を加湿する作用が生じることとなる。
【００８４】
次に、室内温度Ｔｉと設定値ｔ１の大小判断（Ｓ０６）について説明する。マイコン１７で記憶されている室内温度Ｔｉと設定値ｔ１との大小を比較し、冷凍サイクルによる蒸発器４で除湿が効果的に機能する内温度領域であるか否かを判断する。冬期で衣類乾燥運転を開始直後など室内温度Ｔｉが設定値ｔ１よりも低温である場合に排気ファン１２を運転させることで生じる加温作用を期待するものである。設定値ｔ１は冷凍サイクルの性能の如何に依存し、温度を関数とする除湿能力線図から導出できる値であるが予め実験や計算によって検討した上で決定しておくのが良く、例えば１０℃といった値が用いられる。
【００８５】
次に、室内温度Ｔｉと設定値ｔ２の大小判断（Ｓ０８）について説明する。マイコン１７で記憶されている室内温度Ｔｉと設定値ｔ２との大小を比較し、冷凍サイクルによる蒸発器４で除湿が効果的に機能する内温度領域であるか否かを判断する。夏期など室内温度Ｔｉが設定値ｔ１よりも高温である場合に排気ファン１２を運転させることで生じる冷却作用を期待するものである。設定値ｔ２は冷凍サイクルの性能の如何に依存し、温度を関数とする除湿能力線図から導出できる値であるが、予め実験や計算によって検討した上で決定しておくのが良く、例えば４０℃といった値が用いられる。
【００８６】
次に、排気ファン運転（Ｓ０５）について説明する。マイコン１７は、排気ファン１２が運転されている状態であれば、排気ファン１２の運転を継続する。また、排気ファン１２が停止されている状態であれば、排気ファン１２の運転を開始する。排気ファン１２による換気量は一例として５０〜１５０［ｍ3／ｈ］とする。
【００８７】
次に、排気ファン停止（Ｓ０７もしくはＳ０９）について説明する。マイコン１７は、排気ファン１２が運転されている状態であれば、排気ファン１２の運転を停止する。また、排気ファン１２が停止されている状態であれば、排気ファン１２を停止させたままとする。
【００８８】
次に、運転終了の判断（Ｓ１０）について説明する。マイコン１７は衣類乾燥運転開始（Ｓ０１）のステップで設定した乾燥運転終了までの設定時間と、衣類乾燥運転開始からの経過時間を比較し、運転終了の判断を行う。
【００８９】
（実施の形態２）
実施の形態２における衣類乾燥機について説明する。
【００９０】
はじめに衣類乾燥機の構成について図３を参照しながら説明する。図３は実施の形態２の衣類乾燥機を真横から見た状態を示す断面構成図である。衣類乾燥機は排気手段としての排気ファン１２の吸込み経路として、循環風路７内に第一吸込口１６のほかに第二吸込口２６を備え、第二吸込口２６には風路ダンパー３１が備えられており風路が任意に開閉可能となっている。風路ダンパー３１には例えばステッピングモーター（図示せず）で通風路を開放させるように構成されており、マイコン１７から出力される動作信号で動作する。第二吸込口２６、風路ダンパー３１以外の構成については実施の形態１に記載の衣類乾燥機と同様であり、各構成要素については説明を省略するとともに、実施の形態１に記載の衣類乾燥機と同じ記号を使用する。
【００９１】
続いて、実施の形態２における衣類乾燥機の動作を説明する。
【００９２】
使用者が浴室の換気のみを実施したい場合において、コントローラー１８を用いて衣類乾燥機に対して換気運転を指示する。すると、排気ファン１２を動作させる為のモーター１３が動作すると同時に風路ダンパー３１が開放され、室内吸込口８から吸込まれ空気が風路ダンパー３１を介し排気ファン１２により屋外へ排出される。従って、排気のみの運転の場合に屋外へ排出される空気が蒸発器４を通過されないため為、排気経路の圧力損失を小さくすることとなり、換気運転のみの場合の消費電力を小さくすることができる。
【００９３】
（実施の形態３）
実施の形態３における衣類乾燥機について説明する。
【００９４】
はじめに衣類乾燥機の構造について図４を参照しながら説明する。図４は実施の形態３の衣類乾燥機を真横から見た状態を示す断面構成図である。給気手段としての給気ファン３２、給気ファン３２を動作させるためのモーター３３、空気を供給する経路として給気ダクト３５が接続されている。そして、給気ファン３２の吐出経路としての吐出口３６は循環風路７における蒸発器４と凝縮器２との間に位置しており、かつ排気ファン１２の第一吸込口１６よりも風下に備えられており、循環風路７の構成としては風上側より室内吸込口８、蒸発器４、第一吸込口１６、吐出口３６、凝縮器２、送風ファン９、室内吹出口１０の順番となっている。また、吐出口３６には給気温度検知手段としての給気温度センサー３７と、給気露点温度検知手段としての給気露点温度センサー３８が備えられ、浴室室内の換気系路上の風上である給気空気の空気温度を検知することができる。給気ファン３２、モーター３３、給気ダクト３５、吐出口３６、給気温度センサー３７、給気露点温度センサー３８以外の構成については実施の形態１に記載の衣類乾燥機と同様であり、各構成要素については説明を省略するとともに、実施の形態１に記載の衣類乾燥機と同じ記号を使用する。給気ファン３２を動作させるためのモーター３３は、マイコン１７で排気ファン１２を動作させる為のモーター１３と一体的に通電が行われる構成であり、例えばＤＣブラシモーターとする。また、給気ファン３２及びモーター３３の選定に当たっては、風量が０〜２００［ｍ3／ｈ］程度得られるようにし、排気ファン１２及びモーター１３と略一致の風量となるようにモーター１３とモーター３３の回転が制御されている。排気ファン１２の風量と給気ファン３２の風量と差異としては例えば１０％以内であり、室内の室内圧力が周囲と同等となる為浴室から屋外や隣室に空気の漏出入がなくなることとなる。
【００９５】
給気ダクト３５の吸込み経路（図示せず）としては、室内から導入するものであり、空気を供給する風路を衣類乾燥機本体内に納めることができるので、本体施工の良否に関わらず給気が確実に得られるため確実に衣類乾燥の性能確保が可能となる。
【００９６】
また、給気ダクト３５の他の吸込み経路（図示せず）としては、室外から導入するものであり、室内より低温である室外の空気を供給することにより加熱手段と通過空気の熱交換効率が高められ、室内の加熱能力を高めることができる。
【００９７】
また、給気ダクト３５の他の吸込み経路（図示せず）としては、屋外から導入するものであり、冬期など乾燥した空気を供給することにより室内の乾燥能力を高めることできる。
【００９８】
上記構成において、室内へ直接給気を行う場合と比較して、循環経路内における加熱手段の上流側へ給気を供給する為、室内に対する加熱能力を高めることができる。また、風下側に位置する給気手段から導入された給気空気が、風上側の排気手段の吸込み経路への短絡が防止できる為、さらに室内に対する加熱能力を高めることができる。
【００９９】
（実施の形態４）
実施の形態４の衣類乾燥機について、図５〜図６を参照しながら説明する。図５は実施の形態３の衣類乾燥機を真横から見た状態を示す断面構成図である。衣類乾燥機は第一吸込口１６と第二吸込口２６のどちらかが一方開放されるように三路ダンパー３９が備えられる。三路ダンパー３９は例えばステッピングモーター（図示せず）で第一吸込口１６と第二吸込口２６のどちらかが一方の通風路を開放させるように構成されており、マイコン１７から出力される動作信号で動作する。三路ダンパー３９以外の構造については実施の形態２に記載の衣類乾燥機と同様であり、各構成要素については説明を省略するとともに、実施の形態２に記載の衣類乾燥機と同じ記号を使用する。
【０１００】
次に、衣類乾燥機の動作フローの概要について図６を参照しながら説明する。図６は衣類乾燥機の動作を示すフロー図である。なお衣類乾燥機には衣類乾燥のための運転モード以外にも排気、送風等を行う運転モードを設定してもよいが、衣類乾燥以外の運転モードの動作については説明を省略する。
【０１０１】
はじめに使用者がコントローラー１８を操作することにより衣類乾燥運転モードを開始すると、圧縮機１へ通電することにより衣類乾燥運転運転を開始する（Ｓ２１）。マイコン１７は運転開始の情報を受け取ると、冷却温度センサー２２を用い蒸発器４で冷却除湿された直後の冷却温度Ｔｃの検知と、給気温度センサー２０を用い給気温度Ｔｖの検知と、室内温度センサー２３を用い室内温度Ｔｉの検知と、給気露点温度センサー２１を用い給気露点温度ＤＰｖを検知する。（Ｓ２２）。
【０１０２】
マイコン１７はマイコン１７でＴｉと設定値ｔ１との大小を判断し（Ｓ２６）、Ｔｉがｔ１よりも大きい場合はマイコン１７で排気ファン１２のモーター１３を運転するとともに三路ダンパー３９は第二吸込口２６を連通するように開放し（Ｓ２７）、Ｔｉがｔ１以下の場合はマイコン１７でＴｃとＴｖの大小を判断する（Ｓ２３）。
【０１０３】
またＳ２３において、ＴｃがＴｖよりも小さい場合はマイコン１７でＴｃとＤＰｖの大小を判断し（Ｓ２４）、ＴｃがＴｖ以上の場合はマイコン１７で排気ファン１２のモーター１３を停止する（Ｓ２５）。
【０１０４】
またＳ２４において、ＴｃがＤＰｖよりも大きい場合はマイコン１７で排気ファン１２のモーター１３を運転するとともに三路ダンパー３９は第一吸込口１６を連通するように開放し（Ｓ２６）、ＴｃがＤＰｖ以下の場合はマイコン１７でＴｉとｔ２の大小を判断する（Ｓ２８）。
【０１０５】
またＳ２８において、Ｔｉがｔ２よりも小さい場合はマイコン１７で排気ファン１２のモーター１３を運転するとともに三路ダンパー３９は第一吸込口１６を連通するように開放し（Ｓ２６）、Ｔｉがｔ２以上の場合はマイコン１７で排気ファン１２のモーター１３を停止する（Ｓ０７）。続いて、排気ファン停止（Ｓ２５）もしくは排気ファン運転（Ｓ２６、Ｓ２７）を実施したあと、運転終了の指示の有無を確認し（Ｓ３０）運転終了の指示がある場合は除湿運転停止（Ｓ３１）となる。また、運転終了の指示がない場合は、再び（Ｓ２２）から（Ｓ２９）の動作ステップを繰り返す。
【０１０６】
以下、各フローの詳細な内容について説明する。
【０１０７】
はじめに、衣類乾燥運転開始（Ｓ２１）について説明する。使用者は運転終了までの時間を指示するボタンを操作して運転終了までの時間を指定した後、運転を開始するボタンを操作して運転開始を指示する。マイコン１７は運転終了までの時間についての情報を受け取って記憶しておき、圧縮機１の運転と送風ファン９のモーター１１の運転を開始する。送風ファンによる循環風量は一例として２００〜４００［ｍ3／ｈ］である。
【０１０８】
次に、各温度検知手段の温度検知（Ｓ２２）について説明する。冷却温度センサー２２を用い冷却温度Ｔｃの検知と、給気温度センサー２０を用い給気温度Ｔｖの検知と、室内温度センサー２３を用い室内温度Ｔｉの検知と、給気露点温度センサー２１を用い給気露点温度ＤＰｖを検知し、各検知情報Ｔｃ、Ｔｖ、Ｔｉ、ＤＰｖは新しい検知情報が入力されるまでマイコン１７で記憶される。なお、マイコン１７は圧縮機１が運転開始直後の場合は、冷凍サイクルが安定する例えば５分程度経過した時点で初めてＴｃ、Ｔｖ、Ｔｉ、ＤＰｖの温度検知を行う。
【０１０９】
次に、室内温度Ｔｉと設定値ｔ１の大小判断（Ｓ２６）について説明する。マイコン１７で記憶されている室内温度Ｔｉと設定値ｔ１との大小を比較し、冷凍サイクルによる蒸発器４で除湿が効果的に機能する内温度領域であるか否かを判断する。冬期で衣類乾燥運転を開始直後など室内温度Ｔｉが設定値ｔ１よりも低温である場合に排気ファン１２を運転させることで生じる加温作用を期待するものである。設定値ｔ１は冷凍サイクルの性能の如何に依存し、温度を関数とする除湿能力線図から導出できる値であるが予め実験や計算によって検討した上で決定しておくのが良く、例えば１０℃といった値が用いられる。
【０１１０】
次に、冷却温度Ｔｃと給気温度Ｔｖの大小判断（Ｓ２３）について説明する。マイコン１７で記憶されている冷却温度Ｔｃと給気温度Ｔｖとの大小を比較し、排気ファン１２を運転させることにより屋外と浴室室内との間で生じる換気に伴う熱収支の正負を判断する。すなわち、排気される空気温度である冷却温度Ｔｃよりも給気される空気温度である給気温度Ｔｖが高温である場合は、排気ファン１２を運転させることで浴室室内を加熱する作用を生じる。一方、排気される空気温度である冷却温度Ｔｃよりも給気される空気温度である給気温度Ｔｖが低温である場合は、排気ファン１２を運転させることで浴室室内を冷却する作用を生じることとなる。
【０１１１】
次に、冷却温度Ｔｃと給気温度Ｔｖの大小判断（Ｓ２４）について説明する。マイコン１７で記憶されている冷却温度Ｔｃと給気露点温度ＤＰｖとの大小を比較し、排気ファン１２を運転させることにより屋外と浴室室内との間で生じる換気に伴う水蒸気収支の正負を判断する。冷却温度Ｔｃで検知される空気は蒸発器４で冷却除湿された直後の空気であるので相対湿度は概ね１００％と判断できる。従って冷却温度Ｔｃは当該空気の露点温度と一致することとなる。排気される空気温度である冷却温度Ｔｃよりも給気される空気の露点温度である給気露点温度ＤＰｖが低温である場合は（Ｓ２３）の判断と併せ、排気ファン１２を運転させることにより浴室室内に与える作用としては加熱と除湿となる。すなわち、浴室室内に吊るされた洗濯物に対し乾燥を速める効果がある為、無条件で換気ファンを運転させることで、排気を行うことにより室内空気よりも乾燥した屋外空気を導入することとなり、室内の除湿を促進することができる。一方、排気される空気温度である冷却温度Ｔｃよりも給気される空気の露点温度である給気露点温度ＤＰｖが高温である場合は、排気ファン１２を運転させることで浴室室内を加湿する作用が生じることとなる。
【０１１２】
次に、室内温度Ｔｉと設定値ｔ２の大小判断（Ｓ２８）について説明する。マイコン１７で記憶されている室内温度Ｔｉと設定値ｔ２との大小を比較し、冷凍サイクルによる蒸発器４で除湿が効果的に機能する内温度領域であるか否かを判断する。夏期など室内温度Ｔｉが設定値ｔ１よりも高温である場合に排気ファン１２を運転させることで生じる冷却作用を期待するものである。設定値ｔ２は冷凍サイクルの性能の如何に依存し、温度を関数とする除湿能力線図から導出できる値であるが、予め実験や計算によって検討した上で決定しておくのが良く、例えば４０℃といった値が用いられる。
【０１１３】
次に、排気ファン停止（Ｓ２５）について説明する。マイコン１７は、排気ファン１２が運転されている状態であれば、排気ファン１２の運転を停止する。また、排気ファン１２が停止されている状態であれば、排気ファン１２を停止させたままとする。
【０１１４】
次に、排気ファン運転（Ｓ２７）について説明する。マイコン１７は、排気ファン１２が運転されている状態であれば、排気ファン１２の運転を継続する。また、排気ファン１２が停止されている状態であれば、排気ファン１２の運転を開始する。排気ファン１２による換気量は一例として５０〜１５０［ｍ3／ｈ］とする。
【０１１５】
次に、排気ファン運転（Ｓ２９）について説明する。マイコン１７は、排気ファン１２が運転されている状態であれば、排気ファン１２の運転を継続する。また、排気ファン１２が停止されている状態であれば、排気ファン１２の運転を開始する。排気ファン１２による換気量は一例として５０〜１５０［ｍ3／ｈ］とする。
【０１１６】
次に、運転終了の判断（Ｓ３０）について説明する。マイコン１７は衣類乾燥運転開始（Ｓ２１）のステップで設定した乾燥運転終了までの設定時間と、衣類乾燥運転開始からの経過時間を比較し、運転終了の判断を行う。
【産業上の利用可能性】
【０１１７】
本発明の衣類乾燥機は、換気による給気の湿度によって、衣類が最も速く乾燥するように除湿と加熱と換気を組み合わせた制御を行うものであり、浴室のほか、脱衣室、サウナ室、衣類乾燥専用室、空き部屋等の居室等に適用することができる。また住宅以外においても、クリーニング工場、病院、共同住宅、スポーツ施設、宿泊施設等の衣類乾燥室に適用することができる。
【図面の簡単な説明】
【０１１８】
【図１】本発明の実施の形態１に記載の衣類乾燥機を示す断面構成図
【図２】本発明の実施の形態１に記載の衣類乾燥機の制御動作を示すフロー図
【図３】本発明の実施の形態２に記載の衣類乾燥機を示す断面構成図
【図４】本発明の実施の形態３に記載の衣類乾燥機を示す断面構成図
【図５】本発明の実施の形態４に記載の衣類乾燥機を示す断面構成図
【図６】本発明の実施の形態４に記載の衣類乾燥機の制御動作を示すフロー図
【図７】従来の衣類乾燥機を示す断面構成図
【符号の説明】
【０１１９】
２    凝縮器
４    蒸発器
７    循環風路
８    室内吸込口
９    送風ファン
１０  室内吹出口
１１  モーター
１２  排気ファン
１３  モーター
１６  第一吸込口
１７  マイクロコンピューター（マイコン）
２０  給気温度センサー
２１  給気露点温度センサー
２２  冷却温度センサー
２３  室内温度センサー
２６  第二吸込口
３１  風路ダンパー
３２  給気ファン
３３  モーター
３６  吐出口
３７  給気温度センサー
３８  給気露点温度センサー
３９  三路ダンパー
【図１】
2010094206.tif 000003
【図２】
2010094206.tif 000004
【図３】
2010094206.tif 000005
【図４】
2010094206.tif 000006
【図５】
2010094206.tif 000007
【図６】
2010094206.tif 000008
【図７】
2010094206.tif 000009